(57)【要約】【課題】  台間機本体と台間機ホルダの間のコネクタ接続不良が発生しないように、台間機本体を台間機ホルダに対してがたつき無く固定可能なロック機構を備えた遊技台用台間機を提案すること。【解決手段】  台間機６のロック機構５０は上下の２箇所で台間機本体２０を台間機ホルダ１０にロックするために、台間機ホルダ側においては、上下にスライド可能なスライド板５１の上端部分に上側係合爪５３が取り付けられ、台間機本体側には、上側係合爪５３が係合する係合穴５７の下縁部分５８と、スライド板５１の下端縁部分５５が係合する下側係合爪５９が形成されている。一箇所のみでロックしている場合に比べて、台間機本体をがたつき無く台間機ホルダにロックでき、コネクタに接続不良が発生することを確実に防止できる。【選択図】  図５
2005342237.tif 000002
【特許請求の範囲】
【請求項１】
台間機ホルダと、
前記台間機ホルダに対して着脱可能な状態で差し込み固定されている台間機本体と、
前記台間機ホルダに前向きに取り付けられている通信用のホルダ側コネクタと、
前記台間機本体の背面に後向きに取り付けられ、当該台間機本体を前記台間機ホルダに差し込むと、前記ホルダ側コネクタに差し込まれる本体側コネクタと、
前記台間機本体を前記台間機ホルダに差し込む動作に連動して、前記台間機本体を前記台間機ホルダにロックした状態を形成するロック機構とを有し、
前記ロック機構は、前記ホルダ側コネクタおよび前記本体側コネクタを挟み、台間機上下方向における上側位置および下側位置において、前記台間機本体を前記台間機ホルダにロックしている遊技台用台間機。
【請求項２】
前記ロック機構は、
ロック位置およびロック解除位置の間を上下方向にスライド可能な状態で前記台間機ホルダに取り付けたスライド板と、
前記スライド板を前記ロック位置に向けて付勢している付勢部材と、
前記スライド板に形成した上側係合部および下側係合部と、
前記台間機本体において、前記上側係合部および前記下側係合部にそれぞれ対応する部位に形成した上側被係合部および下側被係合部と、
前記台間機本体を前記台間機ホルダに差し込むと、前記上側係合部および前記下側係合部にそれぞれ前記上側被係合部および前記下側被係合部が当り、前記スライド板が一旦前記ロック解除位置の側にスライドした後に前記ロック位置に戻ることにより、前記上側被係合部および前記下側被係合部に対する前記上側係合部および前記下側係合部の係合状態が形成される遊技台用台間機。
【請求項３】
請求項２において、
前記ロック位置はスライド方向の下側の位置であり、
前記上側係合部は前記スライド板から前方に延びる係合爪であり、
前記上側被係合部は前記台間機本体の裏面に形成した係合爪差込穴の下縁部分であり、
前記下側係合部は前記スライド板の下端縁部分であり、
前記下側被係合部は前記台間機本体の裏面から後方に延びる本体側係合爪である遊技台用台間機。
【請求項４】
請求項３において、
前記スライド板を前記ロック解除位置に保持するための保持部材を有し、
前記保持部材は、前記係合爪の前記ロック解除位置への移動軌跡上に位置するばね部材であり、
前記係合爪が前記ロック解除位置に至ると、当該係合爪が初期位置に弾性復帰した前記ばね部材に乗り上げた状態になる遊技台用台間機。
【請求項５】
請求項２、３または４において、
前記スライド板を前記ロック解除位置にスライドさせるために、当該スライド板に連結したロック解除用操作ワイヤを有している遊技台用台間機。
【発明の詳細な説明】
【技術分野】
【０００１】
本発明は、パチンコ玉などの遊技媒体の貸し出しを行う遊技台用台間機に関するものである。さらに詳しくは、遊技島取付枠に固定された台間機ホルダに台間機本体を差し込むと、台間機ホルダ側の通信用のコネクタに台間機本体側の通信用のコネクタが差し込み固定された状態が形成されると共に、台間機ホルダに台間機本体がロックされた状態が形成される遊技台用台間機に関するものである。
【背景技術】
【０００２】
パチンコ台などの遊技台の間には、磁気カードやＩＣカードによりパチンコ玉などの遊技媒体を貸し出す台間機が設置されている。台間機は、遊技島を構成している遊技島取付枠に取り付けられた遊技台に隣接配置されており、遊技島取付枠に固定された台間機ホルダと、ここに前側から着脱可能な状態で差込固定された台間機本体から構成されている。
【０００３】
この構造の台間機では、台間機ホルダの側に通信用の中継器が取り付けられており、台間機本体を台間機ホルダに差し込み固定する際に、台間機本体と台間機ホルダ側の中継器との配線接続作業も必要である。かかる配線接続作業を簡単に行うための機構として、台間機本体を台間機ホルダに差し込むと、台間機ホルダの中継器側のコネクタに台間機本体側のコネクタが自動的に差し込まれて配線接続状態が形成される機構が知られている。このような機構は例えば下記の特許文献１に開示されている。
【０００４】
また、遊技台用台間機には、必要時以外に台間機本体が台間機ホルダから引き抜かれることの無い様に、台間機本体を台間機ホルダにロックしているロック機構が備わっている。ロック機構としては下記の特許文献２に記載されているように、台間機本体を台間機ホルダに差し込むとロック状態が自動的に形成され、ロック解除操作を、操作し易い位置まで引き出されているロック解除操作ワイヤを引くことにより簡単に行うことができ、一旦ロック解除操作ワイヤを引けばロック解除状態が保持され、台間機本体の引き抜きが簡単にできる機構のものが提案されている。
【特許文献１】特開２００２−１１２３８号公報
【特許文献２】特開２００３−１０５２９号公報
【発明の開示】
【発明が解決しようとする課題】
【０００５】
ここで、台間機本体と台間機ホルダの間は多数本の配線接続が必要であるので、ピン本数の多いコネクタが用いられている。台間機は遊技台の間の狭いスペースに配置されるので、縦長の扁平な形状をしている。このために、コネクタとしては、台間機上下方向に細長い形状のものが採用されている。
【０００６】
この場合、ロック機構によって、台間機本体ががたつき無く台間機ホルダにロックされていることが必要である。がたつきがあると、ロック機構によるロック位置から台間機上方あるいは下方に離れるほど台間機本体のがたつき量が大きくなる。この結果、上下に長いコネクタの上側あるいは下側の接続状態が不十分となり、結線不良などが発生し易いという問題点がある。
【０００７】
本発明の課題は、台間機本体と台間機ホルダの間のコネクタ接続不良が発生しないように、台間機本体を台間機ホルダに対してがたつき無く固定可能なロック機構を備えた遊技台用台間機を提案することにある。
【課題を解決するための手段】
【０００８】
上記の課題を解決するために、本発明の遊技台用台間機は、
台間機ホルダと、
前記台間機ホルダに対して着脱可能な状態で差し込み固定されている台間機本体と、
前記台間機ホルダに前向きに取り付けられている通信用のホルダ側コネクタと、
前記台間機本体の背面に後向きに取り付けられ、当該台間機本体を前記台間機ホルダに差し込むと、前記ホルダ側コネクタに差し込まれる本体側コネクタと、
前記台間機本体を前記台間機ホルダに差し込む動作に連動して、前記台間機本体を前記台間機ホルダにロックした状態を形成可能なロック機構とを有し、
前記ロック機構は、前記ホルダ側コネクタおよび前記本体側コネクタを挟み、台間機上下方向における上側位置および下側位置において、前記台間機本体を前記台間機ホルダにロックしていることを特徴としている。
【０００９】
ロック機構は上下の２箇所で台間機本体を台間機ホルダにロックしている。したがって、従来のような一箇所のみでロックしている場合に比べて、台間機本体をがたつき無く台間機ホルダにロックすることができる。また、ロック機構のロック位置は本体側コネクタとホルダ側コネクタの接続部分を挟み上下の位置である。したがって、コネクタ接続部分のがたつきを防止できるので、コネクタが接続不良になることを確実に防止できる。
【００１０】
ここで、前記ロック機構は、
ロック位置およびロック解除位置の間を上下方向にスライド可能な状態で前記台間機ホルダに取り付けたスライド板と、
前記スライド板を前記ロック位置に向けて付勢している付勢部材と、
前記スライド板に形成した上側係合部および下側係合部と、
前記台間機本体において、前記上側係合部および下側係合部にそれぞれ対応する部位に形成した上側被係合部および下側被係合部とを備え、
前記台間機本体を前記台間機ホルダに差し込むと、前記上側係合部および前記下側係合部に前記上側被係合部および前記下側被係合部が当り、前記スライド板が一旦前記ロック解除位置の側にスライドした後に前記ロック位置に戻ることにより、前記上側被係合部および前記下側被係合部に対する前記上側係合部および前記下側係合部の係合状態が形成される構成のものを採用することが望ましい。
【００１１】
この構成のロック機構では、スライド板をロック解除位置にスライドすると、上下のロック位置におけるロックが同時に解除される。よって、メンテナンス時などに台間機本体を台間機ホルダから引き抜く作業が簡単になる。
【００１２】
また、前記スライド板のスライド方向の下側位置を前記ロック位置とした場合には、前記上側係合部を前記スライド板から前方に延びる係合爪とし、前記上側被係合部を前記台間機本体の裏面に形成した係合爪差込穴の下縁部分とすることができる。同様に、前記下側係合部を前記スライド板の下端縁部分とし、前記下側被係合部を前記台間機本体の裏面から後方に延びる本体側係合爪とすることができる。
【００１３】
さらに、前記スライド板を前記ロック解除位置に保持するための保持部材を有していれば、台間機本体を引き抜く際に、スライド板がロック位置に戻らないように保持する操作が不要になるので便利である。かかる保持部材としては、前記係合爪差込穴に差し込まれている前記係合爪の前記ロック解除位置への移動軌跡上に位置するばね部材を用いて、前記係合爪が前記ロック解除位置に至ると、当該係合爪が初期位置に弾性復帰した前記ばね部材に乗り上げるようにすればよい。板ばねを用いることにより、簡単な構成でスライド板をロック解除位置に保持できる。
【００１４】
次に、ロック機構によるロックを解除するためにはスライド板をロック解除位置にスライドさせる必要がある。スライド板は台間機ホルダに取り付けられているので、作業員が手を台間機ホルダの背面側に回してスライド板を操作することは面倒である。そこで、前記スライド板を前記ロック解除位置にスライドさせるために、当該スライド板に連結したロック解除用ワイヤを有していることが望ましい。ロック解除用ワイヤの端を操作し易い場所まで引き出しておけば、ロック解除操作が簡単になる。
【発明の効果】
【００１５】
本発明の遊技台用台間機では、本体側コネクタとホルダ側コネクタを挟み、その上下の部位がロック機構によりロックされる。したがって、一箇所のみでロックしている場合に比べて、台間機本体をがたつき無く台間機ホルダにロックできる。また、ロック機構のロック位置が本体側コネクタとホルダ側コネクタの接続部分を挟み上下の位置であるので、コネクタ接続部分のがたつきを確実に防止できる。よって、コネクタが接続不良になることを確実に防止可能な遊技台用台間機を実現できる。
【００１６】
また、本発明では、単一のスライド板をスライドさせることにより上下２箇所のロックを解除できる。よって、個別のロック解除が必要な場合に比べて、操作が簡単になり、台間機本体の引き抜き作業が容易になる。
【００１７】
さらに、上側係合爪が板ばねに乗り上げることにより、ロック解除状態を保持できるようにしている。したがって、コイルばねなどの付勢部材と、この付勢部材の付勢力を利用してロック解除状態を保持するための保持部材とを備えた従来の保持機構とは異なり、単一部品から保持機構を構成できる。また、スライド板の付勢部材は、スライド板をロック位置に付勢するためにのみ用いられている。従来のようにスライド板をロック解除位置に保持するための保持部材を付勢するために当該付勢部材を兼用する場合には、スライド方向とは異なる方向の力がスライド板に作用して、スライド板のスライドが円滑に行われないおそれがある。本発明によれば、かかる惧れが無く、スライド板を常に円滑にスライドさせることができる。
【発明を実施するための最良の形態】
【００１８】
以下に、図面を参照して、本発明を適用した遊技台用台間機を備えた遊技システムを説明する。
【００１９】
（全体構成）
図１は本実施の形態に係る遊技システムを示す部分正面図である。本実施の形態に係る遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機（遊技台用台間機）６とを備えている。
【００２０】
図２（ａ）、（ｂ）および（ｃ）は台間機６の正面図、側面図および裏面図であり、図３および図４は、それぞれ、台間機ホルダから台間機本体を引き抜いた状態を示す側面図および斜視図である。これらの図に示すように、台間機６は、遊技島取付枠３に固定されている台間機ホルダ１０と、この台間機ホルダ１０に対して前方から水平に差し込み固定可能な台間機本体２０から構成されている。
【００２１】
台間機ホルダ１０は、垂直に延びる前方に開口しているコの字状断面の縦枠１１と、この縦枠１１の上端から前方に水平に延び、下方に開口しているコの字状断面の上側水平ガイド枠１２と、縦枠１１の下端から前方に水平に延び、上方に開口しているコの字状断面の下側水平ガイド枠１３を備えている。また、縦枠１１の背面側表面に取り付けられた中継器１４と、下側水平ガイド枠１３に前側から水平に差し込まれて固定されている電源ユニット１５とを備えている。
【００２２】
電源ユニット１５の上面に沿って、縦枠１１から前方に水平に延びる水平ガイド枠１６が配置され、この水平ガイド枠１６は上向きのコの字状断面とされており、上側水平ガイド枠１２と水平ガイド枠１６の間に、前側から台間機本体２０を差し込み可能となっている。電源ユニット１５からは電源ケーブル１７が引き出されており、外部から電力が供給される。また、中継器１４には、電源ユニット１５から電源ケーブル１８を介して電力が供給される。
【００２３】
一方、台間機本体２０は、本体ケース２１と、この本体ケース２１に内蔵されているカードリーダライタ２２、台間機制御器２３および紙幣識別機２４と、本体ケース２１の前面に取り付けられている前面パネル２５とを備えている。
【００２４】
ここで、台間機ホルダ１０に取り付けられている中継器１４は、縦枠１１の背面に固定した取り付け板３１に取り付けられている中継基板３２と、中継基板３２を覆っている上下に長い箱型のカバー３３とを備えている。中継基板３２には前向き状態にホルダ側コネクタ３４が直接搭載されており、このホルダ側コネクタ３４が取り付け板３１および縦枠１１に形成した開口を通って前方に突出している。また、ホルダ側コネクタ３４の上下には取り付け板３１に取り付けたガイドピン３５、３６が前方に水平に突出している。これらのガイドピン３５、３６も、縦枠１１の背面に開けた開口を通って前方に突出している。さらに、中継基板３２には後向きに複数の外部通信用のコネクタ３７、３８、３９などが搭載されており、これらのコネクタが、カバー３３に形成した開口から後方に突出している。
【００２５】
これに対して、台間機本体２０の側の台間機制御器２３は本体ケース２１に対して上下方向にスライド可能に取り付けられており、その制御基板４１の後端部分には本体側コネクタ４２が後向きに直接搭載されている。本体側コネクタ４２の背面側に対峙している本体ケース２１の後端面部分には開口４３が形成され、ここを通ってホルダ側コネクタ３３を本体側コネクタ４２に接続可能となっている。また、開口４３の側方の上下にはピン穴４４、４５が形成され、これらの手前側の対応位置には、台間機制御器２３の側に形成したガイド穴（図示せず）が形成されており、これらにガイドピン３５、３６を差込可能である。
【００２６】
一方、台間機ホルダ１０と台間機本体２０の間にはロック機構５０が設けられている。台間機本体２０が台間機ホルダ１０に差し込まれると、ロック機構５０によって、台間機ホルダ１０に台間機本体２０が自動的に係合して当該台間機本体２０が差込状態にロックされる。また、ロック機構５０によるロック状態を解除するためのロック解除用操作ワイヤ４６が配置されている。このロック解除用操作ワイヤ４６の先端４６ａは、遊技ユニット上側の操作しやすい位置まで引き出されており、この先端を引くことにより、ロック機構５０による台間機本体２０のロック状態が解除され、台間機本体２０を引き出すことが可能になる。
【００２７】
（ロック機構）
図５はロック機構５０を示す説明図であり、図６はロック機構５０の主要部分の分解斜視図である。まず、ロック機構５０の全体構成および概略動作を説明する。ロック機構５０は、ホルダ側コネクタ３４および本体側コネクタ４２を挟み、台間機上下方向における上側位置および下側位置において、台間機本体２０を台間機ホルダ１０にロックするためのものである。本例のロック機構５０は、台間機ホルダ１０の縦枠１１の背面に上下方向にスライド自在な状態で配置したスライド板５１を備えており、下側位置がロック位置５１Ａであり、上側位置がロック解除位置５１Ｂである。このスライド板５１は、コイルばね５２によって常に下側に向けて（ロック位置に向けて）引っ張られている。また、スライド板５１の上端部分には上側係合爪５３が形成されたロック部材５４が取り付けられており、スライド板５１の下端縁部分５５が下側係合部として機能する。
【００２８】
これに対して、台間機本体１０の背面板５６には、ロック部材５４に対応する位置に矩形の係合穴５７が形成されており、この係合穴５７の下縁部分５８は上側係合爪５３が係合する上側被係合部として機能する。また、スライド板５１の下端縁部分５５に対応する位置には、背面板５６の側方から後方に延びる下側係合爪５９が形成されている。
【００２９】
台間機本体２０を台間機ホルダ１０に差し込むと、スライド板５１のロック部材５４および下端縁部分５５が、それぞれ、台間機本体側の係合穴５７の下縁部分５８および下側係合爪５９に当たり、スライド板５１が一旦ロック解除位置５１Ｂの側に押し上げられた後に、ロック位置５１Ａに戻ることにより、ロック部材５４の上側係合爪５３と係合穴５７の下縁部分５８の係合状態、および下端縁部分５５と下側係合爪５９の係合状態が同時に形成される。これにより、ホルダ側コネクタ３４および本体側コネクタ４２の上下において、台間機本体２０が台間機ホルダ１０にロックされた状態が形成される。
【００３０】
スライド板５１にはロック解除用操作ワイヤ４６が連結されており、このロック解除用操作ワイヤ４６を引くと、スライド板５１が上方のロック解除位置５１Ｂに向けて引き上げられ、上下のロック位置におけるロックが解除される。ここで、台間機本体２０における係合穴５５の手前側位置には、スライド板５１をロック解除位置５１Ｂに保持するための板ばね６０が配置されている。スライド板５１がロック解除位置５１Ｂにまで引き上げられると、板ばね６０の上にロック部材５４の上側係合爪５３が乗り上げ、スライド板５１がロック解除位置５１Ｂに保持される。この状態で台間機本体２０を台間機ホルダ１０から手前に引き抜くことができる。台間機本体２０を引き抜くと、板ばね６０からロック部材５４の上側係合爪５３が外れるので、スライド板５１がばね力によって再びロック位置５１Ａに戻る。
【００３１】
図５、６を中心に参照して、ロック機構５０の各部分の詳細構造を説明する。まず、スライド板５１は台間機ホルダ１０の背面に直交する状態で、中継器１４の側方を通って上下に延びている。中継器１４の上側に延びている上端部分の後端縁からは直角に横方向に折れ曲がったブラケット６１が形成されており、この前面にロック部材５４がねじ止めされている。ロック部材５４は、ブラケット６１に取り付けられる背板部分６２と、この側縁から前方に直角に折れ曲がっている側板部分６３を備え、この側板部分６３の前縁からは上側係合爪５３が前方に延びている。また、側板部分６３の上縁からは横方に直角に折れ曲がって延びる天板部分６４が形成されており、この天板部分６４の後端部分はスライド板５１の上端を越えて後方に突出した操作部分６４ａとなっている。天板部分６４にはロック解除用操作ワイヤ４６の下端が連結されている。側板部分６３の前縁には横方に直角に折れ曲がったばね掛け６３ａが形成されており、ここに、コイルばね５２の上端が取り付けられる。
【００３２】
この構成のロック部材５４の側板部分６３には上下に長い一対のガイド穴６３ａ、６３ｂが形成されている。これらにスライド自在に挿入されたガイドピン６５ａ、６５ｂによって、ロック部材５４は、台間機ホルダの縦枠１１の背面に取り付けたブラケット６６に対して上下方向にスライド自在の状態で取り付けられている。ブラケット６６は、ガイドピン６５ａ、６５ｂが取り付けられた側板部分６７と、この前縁から横方に直角に折れ曲がっている前板部分６８と、側板部分６８の上下の縁から横方に水平に折れ曲がっている天板部分６９および下板部分７０とを備えている。前板部分６８が縦枠１１にねじ止めされており、天板部分６９にはワイヤ挿通穴６９ａが形成されている。また、下板部分７０には、コイルばね５２の下端を取り付けるためのばね掛け７０ａが形成されている。
【００３３】
スライド板５１の中継器１４の下側に延びている下端部分には、その前縁から横方に直角に折れ曲がっているブラケット７１が形成されており、ここには上下方向に延びるガイド穴７１ａが形成されている。ブラケット７１は、ガイド穴７１にスライド自在に通した上下一対のガイドピン７２ａ、７２ｂによって、上下方向にスライド自在の状態で縦枠１１に取り付けられている。したがって、スライド板５１は、その上下の端部が上下方向にスライド自在の状態が縦枠１１の背面に取り付けられており、下側のロック位置５１Ａと上側のロック解除位置５１Ｂの間をスライド自在となっている。
【００３４】
ここで、ロック部材５４の上側係合爪５３は、先端から後方に向けて下側に傾斜した傾斜下端面５３ａを備え、この傾斜下端面５３ａの後端に連続して上側に括れた係合溝５３ｂが形成されている。この係合溝５３ｂに、台間機本体側の係合穴５７の下縁部分５８が嵌ることにより、係合状態が形成される。また、上側係合爪５３の上端には横方に水平に折り曲げた板ばね係合部５３ｃが形成されている。図６（ｂ）に示すように、台間機本体側の板ばね６０は、上側係合爪５３の前進方向の側方に位置する垂直部分６０ａと、この上端から折れ曲がって斜め上方に延びている傾斜部分６０ｂと、垂直部分６０ａの前端から横方に直角に折れ曲がっている係合爪当接部分６０ｃとを備えている。上側係合爪５３が係合穴５７に差し込まれた後に、上方にスライドすると、その板ばね係合部５３ｃが傾斜部分６０ｂに当たり、板ばね６０を横方に押し出しながら移動する。板ばね係合部５３ｃが板ばね６０の傾斜部分６０ｂを乗り越えると、板ばね６０が初期状態に弾性復帰するので、傾斜部分６０ｂの上に板ばね係合部５３ｃが乗り上げた状態が形成される。すなわち、上側係合爪５３が形成されているロック部材５４が取り付けられているスライド板５１が上側のロック解除位置５１Ｂに保持された状態が形成される。
【００３５】
一方、台間機本体２０の下側係合爪５９は、その上端面が後方から前方に向けて上方に傾斜した傾斜上端面５９ａとなっており、この傾斜上端面５９ａの前端に連続して下方にほぼ垂直に折れ曲がった係合面５９ｂが形成されている。この係合面５９ｂにスライド板５１の下端に形成したブラケット７１の下縁部分５５が嵌ることにより、係合状態が形成される。
【００３６】
（ロック機構の動作説明）
図７および図８を参照して、ロック機構５０の動作を纏めて説明する。図７（ａ）には、台間機ホルダ１０に対して台間機本体２０を位置決めした状態を示してある。この状態で、台間機本体２０を台間機ホルダ１０に差し込むと、図７（ｂ）、（ｃ）に示すように、ロック部材５４の上側係合爪５３が台間機本体２０の係合穴５７に差し込まれ、その傾斜下端面５３ａが係合穴５７の下縁部分５８に当たる。図示を省略してあるが、スライド板５１の下端縁部分５５も同様に、台間機本体２０の下側係合爪５９の傾斜上端面５９ａに当たる。台間機本体２０をさらに差し込むと、コイルばね５２のばね力に逆らってスライド板５１が上方に押し上げられる。
【００３７】
台間機本体２０が完全に差し込まれる直前の状態では、図７（ｄ）に示すように、ロック部材５４の上側係合爪５３における板ばね係合部５３ｃが、台間機本体２０の側の板ばね６０における傾斜部分６０ｂに当たり、板ばね６０が横方に弾性変位した状態になる。
【００３８】
台間機本体２０が完全に台間機ホルダ１０に差し込まれると、図７（ｅ）、（ｆ）に示すように、ロック部材５４の上側係合爪５３の係合溝５３ｂに、台間機本体２０の係合穴５７の下縁部分５８が嵌り込む。同様に、図示を省略してあるが、スライド板５１の下端縁部分５５が、台間機本体２０の下側係合爪５９の係合面５９ｂに嵌り込む。この結果、台間機本体２０が、中継器１４の上下の位置、すなわち、コネクタ接続部分を挟み、２箇所で台間機ホルダ１４にロックされた状態が形成される。
【００３９】
次に、ロック状態を解除して台間機本体２０を引き抜く場合は、ロック解除用操作ワイヤ４６を、ばね力に逆らって上方に引き上げて、スライド板５１をロック解除位置５１Ａまでスライドさせる。この代わりに、ロック部材５４の操作部６４ａを引き上げてもよい。図８（ａ）〜（ｃ）に示すように、上側のロック部材５４の上側係合爪５３は、スライド板５１の引き上げに伴って、板ばね６０を横方に押し出しながら上昇する。スライド板５１がロック解除位置５１Ｂまで上昇すると、図８（ｄ）、（ｅ）に示すように、上側係合爪５３の係合溝５３ｃから、係合穴５７の下縁部分５８が完全に外れた状態になる。図示を省略してあるが、スライド板５１の下端縁部分５５も、下側係合爪５９の係合面５９ｂから完全に外れた状態になる。この結果、上下のロック位置におけるロック状態が解除される。
【００４０】
また、この状態においては、上側係合爪５３の板ばね係合部分５３ｃが板ばね６０の傾斜部分６０ｂを乗り越えた位置まで上昇し、板ばね６０が初期状態に弾性復帰する。この結果、板ばね６０の上端が上側係合爪５３の板係合部分５３ｃの真下に位置した状態になる。したがって、この後にスライド板５１を引き上げている操作力を解除しても（ワイヤ４６を離しても）、図８（ｆ）、（ｇ）に示すように、板ばね６０の上に上側係合爪５３が乗り上げた状態になり、スライド板５１がロック解除位置５１Ｂの状態に保持される。すなわち、ロック解除状態が保持される。よって、台間機本体２０を引き出す作業を簡単に行うことができる。台間機本体２０を引き抜くと、その係合穴５７から台間機ホルダ側の上側係合爪５３が引き抜かれ、上側係合爪５３が板ばね６０から外れるので、ばね力によって、スライド板５１がロック位置５１Ａに復帰する。図８（ｈ）には上側係合爪５３が抜かれた後の板ばね６０を示してある。
【００４１】
以上説明したように、台間機６のロック機構５０は、上下の２箇所で台間機本体２０を台間機ホルダ１０にロックしている。したがって、従来のような一箇所のみでロックしている場合に比べて、台間機本体２０をがたつき無く台間機ホルダ１０にロックできる。また、ロック機構５０のロック位置は本体側コネクタ４２とホルダ側コネクタ３４の接続部分を挟み上下の位置である。したがって、コネクタ接続部分のがたつきを防止できるので、コネクタが接続不良になることを確実に防止できる。
【００４２】
また、本例のロック機構５０では、スライド板５１をロック解除位置５１Ｂにスライドすると、上下のロック位置におけるロックが同時に解除される。よって、メンテナンス時などに台間機本体２０を台間機ホルダ１０から引き抜く作業が簡単になる。
【００４３】
さらに、スライド板５１をロック解除位置まで引き上げると、上側係合爪５３が板ばね６０に乗り上げてロック解除状態が保持される。したがって、台間機本体２０を引き抜く作業が簡単になる。
【００４４】
特に、本例では、ロック解除状態を保持できるように、コイルばねなどの付勢部材と、この付勢部材の付勢力を利用してロック解除状態を保持可能な保持部材とを備えた従来の保持機構とは異なり、板ばねのみを用いることで保持機構を構成できる。また、スライド板を付勢するためのコイルばね５２はスライド板をロック位置に付勢するためにのみ用いられている。従来のようにスライド板をロック解除位置に保持するための保持部材を付勢するために当該コイルばねを兼用する場合には、スライド方向とは異なる方向の力がスライド板に作用して、スライド板のスライドが円滑に行われないおそれがある。本例では、かかる惧れが無く、スライド板５１を常に円滑にスライドさせることができる。
【図面の簡単な説明】
【００４５】
【図１】本発明を適用した遊技システムを示す部分正面図である。
【図２】図１の遊技システムの台間機の正面図、側面図および裏面図である。
【図３】図２の台間機における台間機ホルダから台間機本体を引き抜いた状態を示す側面図である。
【図４】図２の台間機における台間機ホルダから台間機本体を引き抜いた状態を示す斜視図である。
【図５】図２の台間機のロック機構を示す説明図である。
【図６】図２の台間機のロック機構の主要部分を示す分解斜視図である。
【図７】図２の台間機における台間機本体を台間機ホルダに差し込む際のロック機構のロック動作を示す説明図である。
【図８】図２の台間機における台間機ホルダから台間機本体を引き抜く際のロック解除動作を示す説明図である。
【符号の説明】
【００４６】
１    遊技システム
２    遊技島
３    遊技島取り付け枠
４    遊技ユニット
５    遊技台
６    台間機（遊技台用台間機）
１０  台間機ホルダ
１４  中継器
２０  台間機本体
２３  台間機制御器
３４  ホルダ側コネクタ
４２  本体側コネクタ
５０  ロック機構
５１  スライド板
５１Ａ  ロック位置
５１Ｂ  ロック解除位置
５２  コイルばね
５３  上側係合爪
５４  ロック部材
５５  スライド板の下端縁部分
５９  下側係合爪
６０  板ばね（ロック解除保持部材）
【図１】
2005342237.tif 000003
【図２】
2005342237.tif 000004
【図３】
2005342237.tif 000005
【図４】
2005342237.tif 000006
【図５】
2005342237.tif 000007
【図６】
2005342237.tif 000008
【図７】
2005342237.tif 000009
【図８】
2005342237.tif 000010